(57)【要約】【課題】エンターテイメント性を向上させることが可能な情報提供システム、遊技台及びホストコンピュータを提供する。【解決手段】情報提供システム１において、遊技台１０は、遊技台１０の状態に応じた遊技台情報の提供契機であるときにアクセス情報と要求情報とを提示し、アクセス情報を会員の端末３０が取り込むことで、ホストコンピュータ２０は要求情報によって要求される遊技台情報を端末３０に送信する。このため、会員は、現在遊技中の遊技台１０に関する情報であり、しかもその遊技台１０の状態に応じた情報を参照できることとなる。これにより、遊技中の遊技台１０に一層の興味を持たせることが可能となり、エンターテイメント性を向上させることができる。【選択図】図１
2008178476.tif 000002
【特許請求の範囲】
【請求項１】
遊技結果に応じて遊技媒体が払い出される遊技台と、会員制Ｗｅｂサイトを管理するホストコンピュータと、前記会員制Ｗｅｂサイトにアクセス可能な端末と、を備え、前記ホストコンピュータから前記会員制Ｗｅｂサイトにアクセスした前記端末に情報を提供する情報提供システムであって、
前記遊技台は、
遊技中に、現在の遊技台の状態に応じた遊技台情報の提供契機であるかを判断する判断手段と、
前記判断手段により提供契機であると判断されたときに、前記会員制ｗｅｂサイトにアクセスするアクセス情報、及び、前記遊技台情報の送信を前記ホストコンピュータに要求する要求情報を遊技者に提示する提示手段と、を有し、
前記端末は、
前記提示手段により提示されたアクセス情報及び要求情報を取り込む取込手段と、
前記取込手段によってアクセス情報が取り込まれることによって前記会員制ｗｅｂサイトにアクセスすると共に、前記取込手段によって要求情報が取り込まれることによって前記ホストコンピュータに要求情報を送信する通信手段と、を有し、
前記ホストコンピュータは、前記通信手段を介して前記会員制ｗｅｂサイトにアクセスした端末が、前記会員制ｗｅｂサイトの会員のものである場合、前記通信手段からの要求情報によって要求される前記遊技台情報を前記端末に送信する送信手段を有する
ことを特徴とする情報提供システム。
【請求項２】
前記送信手段は、前記通信手段を介して前記会員制ｗｅｂサイトにアクセスした端末が、会員制ｗｅｂサイトの非会員のものである場合、前記会員制ｗｅｂサイトへの入会を促す画像情報を前記端末に送信する
ことを特徴とする請求項１に記載の情報提供システム。
【請求項３】
前記遊技台は、通常状態と通常状態よりも多くの遊技媒体の払い出しが発生する特別状態とを有し、
前記判断手段は、通常状態から特別状態に移行したときに又は特別状態が継続しているときに、提供契機であると判断し、
前記提示手段は、現在遊技台が特別状態であることの情報を、現在の遊技台の状態に応じた前記遊技台情報とし、要求情報を提示する
ことを特徴とする請求項１に記載の情報提供システム。
【請求項４】
前記判断手段は、特定の遊技方法により遊技媒体の払い出しが増加するときに、提供契機であると判断し、
前記提示手段は、その遊技方法の情報を、現在の遊技台の状態に応じた前記遊技台情報とし、要求情報を提示する
ことを特徴とする請求項１に記載の情報提供システム。
【請求項５】
前記遊技台は、回動式遊技機であって、
前記判断手段は、リプレイのシンボルの揃う確率が通常状態よりも高くなるリプレイタイムに突入したときに、提供契機であると判断し、
前記提示手段は、リプレイタイムから通常状態への移行条件を満たさない遊技方法の情報を、現在の遊技台の状態に応じた前記遊技台情報とし、要求情報を提示する
ことを特徴とする請求項４に記載の情報提供システム。
【請求項６】
前記遊技台は、回動式遊技機であって、
前記判断手段は、リールを停止させる複数のリール停止ボタンを特定の押し順で押すことで特定のシンボルが揃うときに、提供契機であると判断し、
前記提示手段は、特定の押し順の情報を、現在の遊技台の状態に応じた前記遊技台情報とし、要求情報を提示する
ことを特徴とする請求項４に記載の情報提供システム。
【請求項７】
前記判断手段は、前記遊技台に対して所定の操作をすることにより、所定の操作をしないときには発生することがない遊技台の演出を発生させることが可能となったときに、提供契機であると判断し、
前記提示手段は、所定の操作の情報を、現在の遊技台の状態に応じた前記遊技台情報とし、要求情報を提示する
ことを特徴とする請求項１に記載の情報提供システム。
【請求項８】
前記提示手段は、アクセス情報及び要求情報を二次元コードとして提示し、
前記取込手段は、前記二次元コードを撮影することによりアクセス情報及び要求情報を取り込む
ことを特徴とする請求項１に記載の情報提供システム。
【請求項９】
遊技結果に応じて遊技媒体が払い出される遊技台であって、
前記遊技台は、
遊技中に、現在の遊技台の状態に応じた遊技台情報の提供契機であるかを判断する判断手段と、
前記判断手段により提供契機であると判断されたときに、遊技者が端末に取り込むことにより、ホストコンピュータが管理すると共に会員に前記遊技台情報を提供する会員制ｗｅｂサイトに前記端末がアクセスすることができるアクセス情報、及び、前記遊技台情報の送信を前記ホストコンピュータに要求する要求情報を遊技者に提示する提示手段と、
を備えることを特徴とする遊技台。
【請求項１０】
会員制Ｗｅｂサイトを管理すると共に、前記会員制ｗｅｂサイトにアクセスした端末に、情報を送信するホストコンピュータであって、
前記ホストコンピュータは、遊技台が現在の遊技台の状態に応じた遊技台情報の提供契機となった場合、前記会員制ｗｅｂサイトにアクセスするためのアクセス情報、及び、前記遊技台情報の送信を前記ホストコンピュータに要求する要求情報が、遊技台によって遊技者に提示され、前記端末によってアクセス情報が取り込まれて前記端末が前記会員制ｗｅｂサイトにアクセスした場合、その端末が前記会員制ｗｅｂサイトの会員のものであるときに、要求情報に要求される前記遊技台情報を前記端末に送信する送信手段を備える
ことを特徴とするホストコンピュータ。
【発明の詳細な説明】
【技術分野】
【０００１】
本発明は、情報提供システム、遊技台及びホストコンピュータに関する。
【背景技術】
【０００２】
従来、会員制Ｗｅｂサイトにアクセスした端末に対して、情報を提供する情報提供システムが知られている。この情報提供システムでは、配信情報に会員遊技者の遊技嗜好等が反映されている。このため、会員遊技者にとって有用な情報が配信されることとなり、Ｗｅｂサイトへのアクセス数が増加することとなる（特許文献１参照）。
【特許文献１】特開２００６−３２５７５９号公報
【発明の開示】
【発明が解決しようとする課題】
【０００３】
しかし、従来では、遊技嗜好等が反映された情報が配信されるにとどまるため、遊技機のエンターテイメント性を向上させるものではなかった。
【０００４】
本発明は、このような従来の課題を解決するためになされたものであり、その目的とするところは、エンターテイメント性を向上させることが可能な情報提供システム、遊技台及びホストコンピュータを提供することにある。
【課題を解決するための手段】
【０００５】
上記目的を達成するため、本発明に係る情報提供システムは、遊技結果に応じて遊技媒体が払い出される遊技台と、会員制Ｗｅｂサイトを管理するホストコンピュータと、会員制Ｗｅｂサイトにアクセス可能な端末と、を備え、ホストコンピュータから会員制Ｗｅｂサイトにアクセスした端末に情報を提供するものである。この情報提供システムにおいて、遊技台は、遊技中に、現在の遊技台の状態に応じた遊技台情報の提供契機であるかを判断する判断手段と、判断手段により提供契機であると判断されたときに、会員制ｗｅｂサイトにアクセスするアクセス情報、及び、遊技台情報の送信をホストコンピュータに要求する要求情報を遊技者に提示する提示手段と、を有している。端末は、提示手段により提示されたアクセス情報及び要求情報を取り込む取込手段と、取込手段によってアクセス情報が取り込まれることによって会員制ｗｅｂサイトにアクセスすると共に、取込手段によって要求情報が取り込まれることによってホストコンピュータに要求情報を送信する通信手段と、を有している。ホストコンピュータは、通信手段を介して会員制ｗｅｂサイトにアクセスした端末が、会員制ｗｅｂサイトの会員のものである場合、通信手段からの要求情報によって要求される遊技台情報を端末に送信する送信手段を有している。
【０００６】
また、情報提供システムにおいて、送信手段は、通信手段を介して会員制ｗｅｂサイトにアクセスした端末が、会員制ｗｅｂサイトの非会員のものである場合、会員制ｗｅｂサイトへの入会を促す画像情報を端末に送信することが好ましい。
【０００７】
また、情報提供システムにおいて、遊技台は、通常状態と通常状態よりも多くの遊技媒体の払い出しが発生する特別状態とを有し、判断手段は、通常状態から特別状態に移行したときに又は特別状態が継続しているときに、提供契機であると判断し、提示手段は、現在遊技台が特別状態であることの情報を、遊技台の状態に応じた遊技台情報とし、要求情報を提示することが好ましい。
【０００８】
また、情報提供システムにおいて、判断手段は、特定の遊技方法により遊技媒体の払い出しが増加するときに、提供契機であると判断し、提示手段は、その遊技方法の情報を、遊技台の状態に応じた遊技台情報とし、要求情報を提示することが好ましい。
【０００９】
また、情報提供システムにおいて、遊技台は、回動式遊技機であって、判断手段は、リプレイのシンボルの揃う確率が通常状態よりも高くなるリプレイタイムに突入したときに、提供契機であると判断し、提示手段は、リプレイタイムから通常状態への移行条件を満たさない遊技方法の情報を、遊技台の状態に応じた遊技台情報とし、要求情報を提示することが好ましい。
【００１０】
また、情報提供システムにおいて、遊技台は、回動式遊技機であって、判断手段は、リールを停止させる複数のリール停止ボタンを特定の押し順で押すことで特定のシンボルが揃うときに、提供契機であると判断し、提示手段は、特定の押し順の情報を、遊技台の状態に応じた遊技台情報とし、要求情報を提示することが好ましい。
【００１１】
また、情報提供システムにおいて、判断手段は、遊技台に対して所定の操作をすることにより、所定の操作をしないときには発生することがない遊技台の演出を発生させることが可能となったときに、提供契機であると判断し、提示手段は、所定の操作の情報を、遊技台の状態に応じた遊技台情報とし、要求情報を提示することが好ましい。
【００１２】
また、情報提供システムにおいて、提示手段は、アクセス情報及び要求情報を二次元コードとして提示し、取込手段は、二次元コードを撮影することによりアクセス情報及び要求情報を取り込むことが好ましい。
【００１３】
また、上記目的を達成するため、本発明に係る遊技台は、遊技結果に応じて遊技媒体が払い出されるものである。遊技台は、遊技中に、現在の遊技台の状態に応じた遊技台情報の提供契機であるかを判断する判断手段と、判断手段により提供契機であると判断されたときに、遊技者が端末に取り込むことにより、ホストコンピュータが管理すると共に遊技台情報を提供する会員制ｗｅｂサイトに端末がアクセスすることができるアクセス情報、及び、遊技台情報の送信をホストコンピュータに要求する要求情報を遊技者に提示する提示手段とを備えている。
【００１４】
また、上記目的を達成するため、本発明に係るホストコンピュータは、会員制Ｗｅｂサイトを管理すると共に、会員制ｗｅｂサイトにアクセスした端末に、情報を送信するものである。ホストコンピュータは、遊技台が現在の遊技台の状態に応じた遊技台情報の提供契機となった場合、会員制ｗｅｂサイトにアクセスするためのアクセス情報、及び、遊技台情報の送信をホストコンピュータに要求する要求情報が、遊技台によって遊技者に提示され、端末によってアクセス情報が取り込まれて端末が会員制ｗｅｂサイトにアクセスした場合、その端末が会員制ｗｅｂサイトの会員のものであるときに、要求情報に要求される遊技台情報を端末に送信する送信手段を備えている。
【発明の効果】
【００１５】
本発明に係る情報提供システムによれば、遊技台は、現在の遊技台の状態に応じた遊技台情報の提供契機であるときにアクセス情報と要求情報とを提示し、アクセス情報を会員の端末が取り込むことで、ホストコンピュータが要求情報によって要求される遊技台情報を端末に送信する。このため、会員端末には、遊技台の状態に応じた遊技台情報が送信されることとなり、会員は、現在遊技中の遊技台に関する情報であり、しかもその遊技台の状態に応じた情報を参照できることとなる。これにより、遊技中の遊技台に一層の興味を持たせることが可能となり、エンターテイメント性を向上させることができる。
【００１６】
また、送信手段は、アクセス情報を取り込んで会員制ｗｅｂサイトにアクセスした端末が非会員のものである場合、会員制ｗｅｂサイトへの入会を促す画像情報を端末に送信する。このため、非会員には遊技台情報が提供されず、入会が促されることとなる。このようなタイミングで入会が促されると、非会員は、遊技台情報に興味を持つこととなり、入会確率を向上させることができる。すなわち、非会員は、現在遊技中であるが故に、遊技台情報に一層興味を示すことから、遊技中でないときに非会員に入会を促すよりも入会確率を向上させることができる。従って、より一層会員を獲得することができる。
【００１７】
また、判断手段は、特別状態になったとき又は特別状態継続中であるときに、提供契機であると判断し、提示手段は、現在遊技台が特別状態であることの情報を、現在の遊技台の状態に応じた遊技台情報とし、要求情報を提示する。このため、会員には現在遊技台が特別状態であることの情報が提供され、会員は、非会員よりも素早く特別状態を認識できたり、容易に特別状態を認識できたりする。これにより、会員は、非会員よりも有利に遊技できるという魅力的な情報を取得することができ、一層エンターテイメント性を向上させることができる。
【００１８】
また、判断手段は、特定の遊技方法により遊技媒体の払い出しが増加するときに、提供契機であると判断し、提示手段は、その遊技方法の情報を、現在の遊技台の状態に応じた遊技台情報とし、要求情報を提示する。このため、会員には特定の遊技方法の情報が提供され、会員は、特定の遊技方法を実行することができ、非会員よりも遊技媒体を多く獲得することができる。このように、会員は、非会員よりも有利に遊技できるという魅力的情報を取得することができ、しかも遊技媒体の払い出しを増加させることができるため、一層エンターテイメント性を向上させることができる。
【００１９】
また、判断手段は、リプレイタイムに突入したときに、提供契機であると判断し、提示手段は、リプレイタイムから通常状態への移行条件を満たさない遊技方法を、現在の遊技台の状態に応じた遊技台情報とし、要求情報を提示する。このため、会員にはリプレイタイムのパンクを防止する遊技方法の情報が提供され、会員は、リプレイタイムを非会員よりも長く継続することができ、遊技媒体数の減少を抑えることで非会員よりも遊技媒体を多く獲得することが可能となる。このように、会員は、非会員よりも有利に遊技できるという魅力的情報を取得することができ、しかも遊技媒体の払い出しを増加させることができるため、一層エンターテイメント性を向上させることができる。
【００２０】
また、判断手段は、特定の押し順で押すことで特定のシンボルが揃うときに、提供契機であると判断し、提示手段は、特定の押し順の情報を、現在の遊技台の状態に応じた遊技台情報とし、要求情報を提示する。このため、会員には特定の押し順の情報が提供され、会員は、特定の押し順でリール停止ボタンを操作することで、非会員よりも遊技媒体を多く獲得することが可能となる。このように、会員は、非会員よりも有利に遊技できるという魅力的情報を取得することができ、しかも遊技媒体の払い出しを増加させることができるため、一層エンターテイメント性を向上させることができる。
【００２１】
また、判断手段は、遊技台に対して所定の操作をすることにより、所定の操作をしないときには発生することがない遊技台の演出を発生させることが可能となったときに、提供契機であると判断し、提示手段は、所定の操作の情報を、現在の遊技台の状態に応じた遊技台情報とし、要求情報を提示する。このため、会員には所定の操作の情報が提供され、会員は、所定の操作をすることにより、非会員では楽しむことができない演出を楽しむことができる。このように、会員は、非会員よりも遊技台を一層楽しむことができ、一層エンターテイメント性を向上させることができる。
【００２２】
また、提示手段はアクセス情報及び要求情報を二次元コードとして提示し、取込手段は二次元コードを撮影することによりアクセス情報及び要求情報を取り込む。このため、ＵＲＬなどを１文字ずつ入力する場合に比較して、アクセス情報及び要求情報の取込を容易に行うことができる。
【００２３】
また、本発明に係る遊技台によれば、現在の遊技台の状態に応じた遊技台情報の提供契機であるときにアクセス情報と要求情報とを提示する。このため、アクセス情報を会員の端末が取り込むことで、遊技台の状態に応じた遊技台情報が会員の端末に送信されることとなる。すなわち、会員は、現在遊技中の遊技台に関する情報であり、しかもその遊技台の状態に応じた情報を参照できることとなる。これにより、遊技中の遊技台に一層の興味を持たせることが可能となり、エンターテイメント性を向上させることができる。
【００２４】
また、本発明に係るホストコンピュータによれば、現在の遊技台の状態に応じた遊技台情報の提供契機となった場合、アクセス情報と要求情報とが遊技台によって提示され、アクセス情報を会員の端末が取り込むことで、現在の遊技台の状態に応じた遊技台情報を会員端末に送信する。これにより、会員は、現在遊技中の遊技台に関する情報であり、しかもその遊技台の状態に応じた情報を参照できることとなる。従って、遊技中の遊技台に一層の興味を持たせることが可能となり、エンターテイメント性を向上させることができる。
【発明を実施するための最良の形態】
【００２５】
以下、本発明の好適な実施形態を図面に基づいて説明する。図１は、本発明の実施形態に係る情報提供システムの構成図である。同図に示すように、情報提供システム１は、遊技結果に応じて遊技媒体が払い出される遊技台１０と、会員制ｗｅｂサイトを管理するホストコンピュータ２０と、会員制ｗｅｂサイトにアクセス可能な端末３０とを備え、ホストコンピュータ２０から遊技台１０の遊技者が保有する端末３０に情報を送信するものである。
【００２６】
ここで、遊技台１０は、例えばパチンコ遊技機、回動式遊技機、じゃん球遊技機、アレンジボール、ゲームセンターなどに設置されるメダル遊技機などが該当する。また、端末３０は、携帯電話が該当する。なお、端末３０は、ＰＨＳやパーソナルコンピュータなど通信可能な機器であれば他のものであってもよい。
【００２７】
図２は、図１に示した遊技台１０の詳細構成図である。図２に示すように、遊技台１０は、条件成立判断部（判断手段）１１と、表示画像生成部１２と、記憶部１３と、画像表示部（提示手段）１４とを備えている。
【００２８】
条件成立判断部１１は、遊技中に、現在の遊技台１０の状態に応じた遊技台情報の提供契機であるか否かを判断するものである。ここで、「現在の遊技台１０の状態に応じた遊技台情報」とは、遊技台１０の状態そのもの、及び、遊技台１０の状態が特定の状態であるときに遊技台１０に対して遊技者が行うことにより所定の効果が得ることができる操作の情報を含む概念である。条件成立判断部１１は、このような遊技台情報の提供契機を判断することとなる。
【００２９】
具体的に説明すると、条件成立判断部１１は、通常状態から特別状態（例えば確率変動状態、ビックボーナスフラグが成立した状態、時短モードに突入した状態など）に移行したとき又は特別状態が継続しているとき、現在遊技台１０が特別状態であることの情報（遊技台情報の１つ）の提供契機であると判断する。
【００３０】
また、条件成立判断部１１は、特定の遊技方法（例えばパチンコ遊技機の右打ちや、回動式遊技機の右押し及び中押し）により遊技媒体の払い出しが増加するとき、特定の遊技方法の情報（遊技台情報の１つ）の提供契機であると判断する。さらに、条件成立判断部１１は、遊技台１０に対して所定の操作（例えば隠しコマンドの入力）をすることにより、所定の操作をしないときに発生することがない遊技台１０の演出を発生させること（例えばプレミアキャラの発生）が可能となったとき、所定の操作の情報（遊技台情報の１つ）の提供契機であると判断する。
【００３１】
なお、条件成立判断部１１は、遊技開始から所定時間経過したとき、又は前回所定時間経過してから、さらに所定時間経過ときに、現在遊技台１０が通常状態であることや特別状態であることの情報（遊技台情報の１つ）の提供契機であると判断してもよい。
【００３２】
表示画像生成部１２は、遊技者に提示すべき表示画像を生成するものである。具体的に表示画像生成部１２は、アクセス情報と要求情報とを含む二次元コード（いわゆるＱＲコード）を生成する。アクセス情報は、会員制ｗｅｂサイトにアクセスするためのＵＲＬ情報である。要求情報は、上記した遊技台情報の送信をホストコンピュータ２０に要求する情報である。
【００３３】
記憶部１３は、アクセス情報と複数の要求情報とを記憶している。表示画像生成部１２は、条件成立判断部１１により提供契機であると判断されると、複数の要求情報から、現在の遊技台１０の状態に応じた遊技台情報の送信をホストコンピュータ２０に要求する要求情報を読み込む。すなわち、通常状態から特別状態に移行したことにより、又は特別状態が継続していることにより提供契機であると判断された場合、表示画像生成部１２は、現在遊技台１０が特別状態であることの情報について送信を要求する要求情報を読み込む。さらに、表示画像生成部１２は、アクセス情報を読み込む。そして、表示画像生成部１２は、読み込んだ要求情報とアクセス情報とに基づいて二次元コードを生成することとなる。
【００３４】
また、特定の遊技方法により遊技媒体の払い出しが増加するタイミングとなり現在提供契機であると判断された場合、表示画像生成部１２は、特定の遊技方法の情報送信を要求する要求情報を読み込む。また、所定の操作をしないときに発生することがない遊技台１０の演出を発生させることが可能となったことにより現在提供契機であると判断された場合、表示画像生成部１２は、所定の操作の情報送信を要求する要求情報を読み込む。そして、表示画像生成部１２は、読み込んだ要求情報とアクセス情報とに基づいて二次元コードを生成することとなる。
【００３５】
画像表示部１４は、各種のアクションや台の状態などを表示させるものである。また、本実施形態に係る画像表示部１４は表示画像生成部１２により生成された二次元コードを遊技者に対して提示する。図３は、図１に示した遊技台１０の外観を示す外観斜視図である。なお、図３では回動式遊技機を例に説明する。図３に示す回動式遊技機は、上部ボックス１５と下部ボックス１６とを有し、上部ボックス１５に画像表示部１４が設けられている。二次元コードはこの画像表示部１４に表示されることとなる。
【００３６】
図４は、図２に示した画像表示部１４の表示例を示す図である。図４に示すように、画像表示部１４はアクセス情報及び要求情報を含む二次元コード１７を表示するようになっている。このように、各種のアクションや台の状態などを表示させ遊技者の注目を惹きやすい画像表示部１４に二次元コード１７を表示することにより、遊技者による二次元コード１７の見落とし頻度を軽減している。なお、下部ボックス１６には、リール部、スピンボタン、停止ボタン（リール停止ボタン）、メダル投入部、及びベットボタンなどが設けられており、回動式遊技機の実質的なゲームの進行を行えるようになっている。
【００３７】
図５は、図１に示した端末３０の詳細構成図である。図５に示すうように、端末３０は撮影部（取込手段）３１と、認識部３２と、通信部（通信手段）３３と、画像表示部３４とを備えている。撮影部３１は、ＣＣＤカメラやＣＭＯＳカメラなどにより構成され、撮影により情報を端末３０内に取り込む機能を有している。この撮影部３１により二次元コード１７が撮影されると、二次元コード１７の情報が端末３０内に取り込まれ、認識部３２に送信される。
【００３８】
認識部３２は、撮影部３１によって取り込まれた二次元コード１７の情報を解析し、アクセス情報と要求情報とを認識するものである。通信部３３は、認識部３２によって認識されたアクセス情報に基づいて、端末３０を会員制ｗｅｂサイトにアクセスさせるものである。さらに、通信部３３は、認識部３２によって認識された要求情報をホストコンピュータ２０に送信する機能を有する。画像表示部３４は画像表示するものであり、ホストコンピュータ２０からの情報が通信部３２によって受信された場合、その情報を表示する機能を有している。
【００３９】
図６は、図１に示したホストコンピュータ２０の詳細構成図である。図６に示すように、ホストコンピュータ２０は、通信部（送信手段）２１と、処理部２２と、情報記憶部２３とを備えている。通信部２１は、インターネット４０を通じて端末３０と情報通信するものである。処理部２２は、ホストコンピュータ２０の全体を制御するものであり、認証部２２ａと解析部２２ｂとを備えている。
【００４０】
認証部２２ａは、アクセス情報を取り込んで会員制ｗｅｂサイトにアクセスした端末３０が会員のものであるか否かを判断するものである。解析部２２ｂは、端末３０からの要求情報を解析し、要求情報によって要求される遊技台情報を特定するものである。
【００４１】
情報記憶部２３は、会員制ｗｅｂサイトにアクセスした端末３０に送信する画像等の情報を記憶したものである。具体的に情報記憶部２３は、非会員の端末３０がアクセスしたときに非会員の端末３０に送信する入会画像の情報を記憶している。また、情報記憶部２３は、会員の端末３０がアクセスしたときに会員の端末３０に送信する遊技台情報を機種毎に分けて記憶している。
【００４２】
さらに、処理部２２は、会員制ｗｅｂサイトにアクセスした端末３０が認証部２２ａによって会員の端末３０であると判断された場合、解析部２２ｂによって解析され特定された遊技台情報を情報記憶部２３から読み込み、通信部２１を通じて会員の端末３０に遊技台情報を送信する構成となっている。また、処理部２２は、会員制ｗｅｂサイトにアクセスした端末３０が認証部２２ａによって非会員の端末３０であると判断された場合、情報記憶部２３から入会画像の情報を読み込み、通信部２１を通じて非会員の端末３０に入会画像の情報を送信する構成となっている。
【００４３】
図７は、会員の端末３０に送信され表示される画像の一例を示す図である。例えば遊技台１０が回動式遊技機であり、内部でボーナスゲームが確定した場合、遊技台１０は、ボーナスゲームが確定した旨の情報（遊技台１０の状態に応じた遊技台情報の一例）の提供契機であると判断する。そして、遊技台１０は、ボーナスゲームが確定した旨の要求情報とアクセス情報とを二次元コード１７として表示する。そして、端末３０が二次元コード１７を撮影すると、ホストコンピュータ２０からボーナスゲームが確定した旨の画像情報が送信され、端末３０に図７に示すような画像が表示される。図７に示すように端末３０には「現在ボーナスフラグが成立しています！！ボーナス絵柄を揃えて下さい。」という情報が表示される。
【００４４】
図８は、非会員の端末３０に送信され表示される画像の一例を示す図である。遊技台１０は、遊技台情報の提供契機であると判断した場合、要求情報とアクセス情報とを二次元コード１７として表示する。そして、端末３０が二次元コード１７を撮影することにより、端末３０は会員制ｗｅｂサイトにアクセスする。しかし、認証部２２ａによって非会員の端末３０であると判断されるため、遊技台情報は送信されず、会員制ｗｅｂサイトに入会を促す画像情報が端末３０に送信される。図８に示すように、端末３０には、入会手続きが行われる入会メニューＭ１と、入会したときに得られる情報や会費などを説明する説明メニューＭ２とが表示されている。この場合、遊技台情報は、入会メニューＭ１が選択され、入会が完了したときに送信されることとなる。
【００４５】
このように、会員端末３０には、遊技台１０の状態に応じた遊技台情報が送信されることとなり、会員は、現在遊技中の遊技台１０に関する情報であり、しかもその遊技台１０の状態に応じた情報を参照できることとなる。これにより、遊技中の遊技台１０に一層の興味を持たせることが可能となり、エンターテイメント性を向上させることができる。
【００４６】
次に、本実施形態に係る情報提供システム１の動作を説明する。図９は、本実施形態に係る情報提供システム１の動作を示す第１のフローチャートである。なお、以下に示す動作では、遊技台１０が回動式遊技機である場合を例に説明する。
【００４７】
図９に示すように、まず、遊技台１０の条件成立判断部１１は、遊技台１０の状態の情報（遊技台情報の１つ）について提供契機であるか否かを判断する（ステップＳ１）。このステップＳ１では、例えば通常状態から特別状態に移行したか否か、又は特別状態が継続中であるか否かが判断される。
【００４８】
ここで、条件成立判断部１１が遊技台１０の状態の情報について提供契機でないと判断した場合（ステップＳ１：ＮＯ）、図９に示す処理は終了する。一方、条件成立判断部１１が遊技台１０の状態の情報について提供契機であると判断した場合（ステップＳ１：ＹＥＳ）、画像表示部１４は図４に示したような二次元コード１７を表示する（ステップＳ２）。この二次元コード１７は、上述したように、アクセス情報と要求情報とを含む。また、要求情報は、現在遊技台１０が特別状態であることを示す遊技台情報の送信を要求するものとなる。
【００４９】
なお、ステップＳ１において条件成立判断部１１は、通常状態から特別状態への移行、又は特別状態の継続中かを判断したが、これに限らず、所定時間経過したか否かを判断してもよい。この場合、遊技台１０は、所定時間経過時に現在遊技台１０が通常状態であるか特別状態であるかを判断し、現在遊技台１０が通常状態であることを示す要求情報、又は、特別状態であることを示す要求情報を含む二次元コード１７を表示させることとなる。
【００５０】
二次元コード１７を表示させた後、端末３０は二次元コード１７が撮影されたか否かが判断される（ステップＳ３）。二次元コード１７が撮影されていないと判断した場合（ステップＳ３：ＮＯ）、図９に示す処理は終了する。一方、二次元コード１７が撮影されたと判断した場合（ステップＳ３：ＹＥＳ）、ホストコンピュータ２０の認証部２２ａは、会員の端末３０であるか否かを判断する（ステップＳ４）。認証部２２ａが会員端末３０であると判断した場合（ステップＳ４：ＹＥＳ）、処理はステップＳ７に移行する。
【００５１】
認証部２２ａが会員端末３０でないと判断した場合（ステップＳ４：ＮＯ）、通信部２１は会員制ｗｅｂサイトへの入会を促す画像情報を送信し、端末３０の画像表示部３４は入会画像を表示する（ステップＳ５）。このため、非会員には遊技台情報が提供される前に、入会が促されることとなる。このようなタイミングで入会が促されると、非会員は、遊技台情報に興味を持つこととなり、入会確率を向上させることができる。すなわち、非会員は、現在遊技中であるが故に、遊技台情報に一層興味を示すタイミングで入会を促されることから、遊技中でないときに非会員に入会を促すよりも入会確率を向上させることができる。特に、非会員の近くの遊技台１０において会員が遊技台情報を取得して遊技している場合には、非会員は会員の遊技の様子を見ることにより一層興味を示すこととなり、入会確率をさらに向上させることができる。
【００５２】
入会画面の表示後、ホストコンピュータ２０の処理部２１は、入会操作がされたか否かを判断する（ステップＳ６）。入会操作がされていないと判断した場合（ステップＳ６：ＮＯ）、図９に示す処理は終了する。一方、入会操作がされたと判断した場合（ステップＳ６：ＹＥＳ）、処理はステップＳ７に移行する。
【００５３】
ステップＳ７において通信部２１は、要求情報によって要求される遊技台１０の状態の情報を送信する（ステップＳ７）。その後、端末３０の画像表示部３４は、遊技台１０の状態の情報を表示する（ステップＳ８）。そして、図９に示す処理は終了する。
【００５４】
このように、会員は、非会員よりも素早く特別状態を認識できたり、容易に特別状態を認識できたりなどすることとなる。これにより、会員は、非会員よりも有利に遊技できるという魅力的な情報を取得することができ、一層エンターテイメント性を向上させることができる。
【００５５】
さらに、本実施形態に係る情報提供システム１では図９に示す処理に加えて、図１０〜図１２に示す処理が並行して実行される。図１０は、本実施形態に係る情報提供システム１の動作を示す第２のフローチャートである。なお、図１０では、リプレイタイムが発生する回動式遊技機を例に説明する。
【００５６】
図１０に示すように、遊技台１０の条件成立判断部１１は、リプレイタイムに突入したか否かを判断することにより、リプレイタイムのパンク条件の情報（遊技台情報の１つ）の提供契機であるか否かを判断する（ステップＳ１１）。
【００５７】
ここで、条件成立判断部１１がリプレイタイムに突入したと判断した場合（ステップＳ１１：ＮＯ）、図１０に示す処理は終了する。一方、条件成立判断部１１がリプレイタイムに突入していないと判断した場合（ステップＳ１１：ＹＥＳ）、遊技台１０は、リプレイタイムのパンク条件を判別する（ステップＳ１２）。具体的に説明すると、回動式遊技機の絵柄に赤チェリー、青チェリー及び黄チェリーが存在し、これら３つのうち選択された絵柄が遊技者に視認可能に停止したときにリプレイタイムがパンクするとする。この場合、遊技台１０は、赤チェリー、青チェリー及び黄チェリーから１つの絵柄を選択することによりパンク条件を設定する。ステップＳ２では、このようにして設定されたパンク条件を判別することとなる。
【００５８】
次いで、ステップＳ１３〜ステップＳ１７では、図９に示したステップＳ２〜ステップＳ６と同様の処理が実行される。
【００５９】
そして、処理がステップＳ１８に移行した場合、通信部２１は、要求情報によって要求されるパンク条件の情報を送信する（ステップＳ１８）。次に、端末３０の画像表示部３４は、パンク条件の情報を表示する（ステップＳ１９）。その後、図１０に示す処理は終了する。なお、パンク条件の情報は、「赤チェリーが停止するとリプレイタイムが終了します。」というものであってもよいし、「赤チェリーを外して停止させてください。」というものであってもよい。すなわち、リプレイタイムがパンクしてしまわないような遊技方法の情報であれば、どのような内容であってもよい。
【００６０】
このように、会員にはリプレイタイムのパンクを防止する遊技方法の情報が提供され、会員は、リプレイタイムを非会員よりも長く継続することができ、遊技媒体数の減少を抑えることで非会員よりも遊技媒体を多く獲得することが可能となる。このように、会員は、非会員よりも有利に遊技できるという魅力的情報を取得することができ、しかも遊技媒体の払い出しを増加させることができるため、一層エンターテイメント性を向上させることができる。
【００６１】
図１１は、本実施形態に係る情報提供システム１の動作を示す第３のフローチャートである。なお、図１１では、ビックボーナス中の小役ゲームのように小役が頻繁に揃いやすい状態で、遊技台１０の内部において小役が揃う条件が成立したときに、停止ボタンを特定の押し順で押すことにより、小役を揃えることができる回動式遊技機を例に説明する。
【００６２】
図１１に示すように、まず、遊技台１０の条件成立判断部１１は、小役が揃う条件が成立したか否かを判断することにより、特定の押し順の情報（遊技台情報の１つ）の提供契機であるか否かを判断する（ステップＳ２１）。
【００６３】
小役が揃う条件が成立していないと判断した場合（ステップＳ２１：ＮＯ）、図１１に示す処理は終了する。一方、小役が揃う条件が成立していると判断した場合（ステップＳ２１：ＹＥＳ）、遊技台１０は、小役を揃えるための停止ボタンの押し順を判別する（ステップＳ２２）。すなわち、遊技台１０は、順押しや中押しなどの押し順を判別することとなる。
【００６４】
次いで、ステップＳ２３〜ステップＳ２７では、図９に示したステップＳ２〜ステップＳ６と同様の処理が実行される。
【００６５】
そして、処理がステップＳ２８に移行した場合、通信部２１は、要求情報によって要求される押し順の情報を送信する（ステップＳ２８）。次に、端末３０の画像表示部３４は、押し順の情報を表示する（ステップＳ２９）。その後、図１１に示す処理は終了する。
【００６６】
このように、会員には特定の押し順の情報が提供され、会員は、特定の押し順でリール停止ボタンを操作することで、非会員よりも遊技媒体を多く獲得することが可能となる。このように、会員は、非会員よりも有利に遊技できるという魅力的情報を取得することができ、しかも遊技媒体の払い出しを増加させることができるため、一層エンターテイメント性を向上させることができる。
【００６７】
図１２は、本実施形態に係る情報提供システム１の動作を示す第４のフローチャートである。なお、図１２では、遊技台１０の内部において所定の条件が成立したときに、隠しコマンドを入力することで、プレミアキャラクターが搭乗したり、オリジナルストーリーが進行したりするプレミア演出が発生する回動式遊技機を例に説明する。
【００６８】
図１２に示すように、まず、遊技台１０の条件成立判断部１１は、隠しコマンドの入力によりプレミア演出が発生する状態となったか否かを判断することにより、隠しコマンドの情報（遊技台情報の１つ）の提供契機であるか否かを判断する（ステップＳ３１）。
【００６９】
隠しコマンドの入力によりプレミア演出が発生する状態となっていないと判断した場合（ステップＳ３１：ＮＯ）、図１２に示す処理は終了する。一方、隠しコマンドの入力によりプレミア演出が発生する状態となったと判断した場合（ステップＳ３１：ＹＥＳ）、遊技台１０は、プレミア演出を発生させるための隠しコマンドを選択する（ステップＳ３２）。例えば、遊技台１０は、ベットボタン、３つのリール停止ボタン及びスピンボタンの順でボタン操作することを隠しコマンドとして選択する。
【００７０】
次いで、ステップＳ３３〜ステップＳ３７では、図９に示したステップＳ２〜ステップＳ６と同様の処理が実行される。
【００７１】
そして、処理がステップＳ３８に移行した場合、通信部２１は、要求情報によって要求される隠しコマンドの情報を送信する（ステップＳ３８）。次に、端末３０の画像表示部３４は、隠しコマンドの情報を表示する（ステップＳ３９）。その後、図１２に示す処理は終了する。
【００７２】
このように、会員には隠しコマンド（所定の操作）の情報が提供され、会員は、所定の操作をすることにより、非会員では楽しむことができない演出を楽しむことができる。このように、会員は、非会員よりも遊技台１０を一層楽しむことができ、一層エンターテイメント性を向上させることができる。
【００７３】
以上のように、本実施形態に係る情報提供システム１によれば、遊技台１０は、現在の遊技台１０の状態に応じた遊技台情報の提供契機であるときにアクセス情報と要求情報とを提示し、アクセス情報を会員の端末３０が取り込むことで、ホストコンピュータ２０が要求情報によって要求される遊技台情報を端末３０に送信する。このため、会員端末３０には、遊技台１０の状態に応じた遊技台情報が送信されることとなり、会員は、現在遊技中の遊技台１０に関する情報であり、しかもその遊技台１０の状態に応じた情報を参照できることとなる。これにより、遊技中の遊技台１０に一層の興味を持たせることが可能となり、エンターテイメント性を向上させることができる。
【００７４】
また、通信部２１は、アクセス情報を取り込んで会員制ｗｅｂサイトにアクセスした端末３０が非会員のものである場合、会員制ｗｅｂサイトへの入会を促す画像情報を端末３０に送信する。このため、非会員には遊技台情報が提供されず、入会が促されることとなる。このようなタイミングで入会が促されると、非会員は、遊技台情報に興味を持つこととなり、入会確率を向上させることができる。すなわち、非会員は、現在遊技中であるが故に、遊技台情報に一層興味を示すことから、遊技中でないときに非会員に入会を促すよりも入会確率を向上させることができる。従って、より一層会員を獲得することができる。特に、非会員の近くの遊技台１０において会員が遊技台情報を取得して遊技している場合には、非会員は会員の遊技の様子を見ることにより一層興味を示すこととなり、入会確率をさらに向上させることができる。
【００７５】
また、条件成立判断部１１は、特別状態になったとき又は特別状態継続中であるときに、提供契機であると判断し、画像表示部１４は、現在遊技台が特別状態であることの情報を、現在の遊技台１０の状態に応じた遊技台情報とし、要求情報を提示する。このため、会員には現在遊技台１０が特別状態であることの情報が提供され、会員は、非会員よりも素早く特別状態を認識できたり、容易に特別状態を認識できたりする。これにより、会員は、非会員よりも有利に遊技できるという魅力的な情報を取得することができ、一層エンターテイメント性を向上させることができる。
【００７６】
また、条件成立判断部１１は、特定の遊技方法により遊技媒体の払い出しが増加するときに、提供契機であると判断し、画像表示部１４は、その遊技方法の情報を、現在の遊技台１０の状態に応じた遊技台情報とし、要求情報を提示する。このため、会員には特定の遊技方法の情報が提供され、会員は、特定の遊技方法を実行することができ、非会員よりも遊技媒体を多く獲得することができる。このように、会員は、非会員よりも有利に遊技できるという魅力的情報を取得することができ、しかも遊技媒体の払い出しを増加させることができるため、一層エンターテイメント性を向上させることができる。
【００７７】
また、条件成立判断部１１は、リプレイタイムに突入したときに、提供契機であると判断し、画像表示部１４は、リプレイタイムから通常状態への移行条件を満たさない遊技方法を、現在の遊技台１０の状態に応じた遊技台情報とし、要求情報を提示する。このため、会員にはリプレイタイムのパンクを防止する遊技方法の情報が提供され、会員は、リプレイタイムを非会員よりも長く継続することができ、遊技媒体数の減少を抑えることで非会員よりも遊技媒体を多く獲得することが可能となる。このように、会員は、非会員よりも有利に遊技できるという魅力的情報を取得することができ、しかも遊技媒体の払い出しを増加させることができるため、一層エンターテイメント性を向上させることができる。
【００７８】
また、条件成立判断部１１は、特定の押し順で押すことで特定のシンボルが揃うときに、提供契機であると判断し、画像表示部１４は、特定の押し順の情報を、現在の遊技台１０の状態に応じた遊技台情報とし、要求情報を提示する。このため、会員には特定の押し順の情報が提供され、会員は、特定の押し順でリール停止ボタンを操作することで、非会員よりも遊技媒体を多く獲得することが可能となる。このように、会員は、非会員よりも有利に遊技できるという魅力的情報を取得することができ、しかも遊技媒体の払い出しを増加させることができるため、一層エンターテイメント性を向上させることができる。
【００７９】
また、条件成立判断部１１は、遊技台１０に対して所定の操作をすることにより、所定の操作をしないときには発生することがない遊技台１０の演出を発生させることが可能となったときに、提供契機であると判断し、画像表示部１４は、所定の操作の情報を、現在の遊技台１０の状態に応じた遊技台情報とし、要求情報を提示する。このため、会員には所定の操作の情報が提供され、会員は、所定の操作をすることにより、非会員では楽しむことができない演出を楽しむことができる。このように、会員は、非会員よりも遊技台１０を一層楽しむことができ、一層エンターテイメント性を向上させることができる。
【００８０】
また、画像表示部１４はアクセス情報及び要求情報を二次元コード１７として提示し、撮影部３１は二次元コード１７を撮影することによりアクセス情報及び要求情報を取り込む。このため、ＵＲＬなどを１文字ずつ入力する場合に比較して、アクセス情報及び要求情報の取込を容易に行うことができる。
【００８１】
また、本実施形態に係る遊技台１０によれば、現在の遊技台１０の状態に応じた遊技台情報の提供契機であるときにアクセス情報と要求情報とを提示する。このため、アクセス情報を会員の端末３０が取り込むことで、遊技台１０の状態に応じた遊技台情報が会員の端末３０に送信されることとなる。すなわち、会員は、現在遊技中の遊技台１０に関する情報であり、しかもその遊技台１０の状態に応じた情報を参照できることとなる。これにより、遊技中の遊技台１０に一層の興味を持たせることが可能となり、エンターテイメント性を向上させることができる。
【００８２】
また、本実施形態に係るホストコンピュータ２０によれば、現在の遊技台１０の状態に応じた遊技台情報の提供契機となった場合、アクセス情報と要求情報とが遊技台１０によって提示され、アクセス情報を会員の端末３０が取り込むことで、現在の遊技台１０の状態に応じた遊技台情報を会員端末３０に送信する。これにより、会員は、現在遊技中の遊技台１０に関する情報であり、しかもその遊技台１０の状態に応じた情報を参照できることとなる。従って、遊技中の遊技台１０に一層の興味を持たせることが可能となり、エンターテイメント性を向上させることができる。
【００８３】
以上、本発明に係る情報提供システム、遊技台及びホストコンピュータを実施形態に基づいて説明したが、本発明はこれに限定されるものではなく、本発明の趣旨を逸脱しない範囲で、変更を加えてもよい。
【００８４】
例えば、上記実施形態において遊技台１０は、アクセス情報及び要求情報を含む二次元コード１７を表示したが、これに限らず、ＵＲＬをアクセス情報として表示し、パスワードを要求情報として表示するなど、他の表示方法を行ってもよい。
【図面の簡単な説明】
【００８５】
【図１】本発明の実施形態に係る情報提供システムの構成図である。
【図２】図１に示した遊技台の詳細構成図である。
【図３】図１に示した遊技台の外観を示す外観斜視図である。
【図４】図２に示した画像表示部の表示例を示す図である。
【図５】図１に示した端末の詳細構成図である。
【図６】図１に示したホストコンピュータの詳細構成図である。
【図７】会員の端末に送信され表示される画像の一例を示す図である。
【図８】非会員の端末に送信され表示される画像の一例を示す図である。
【図９】本実施形態に係る情報提供システムの動作を示す第１のフローチャートである。
【図１０】本実施形態に係る情報提供システムの動作を示す第２のフローチャートである。
【図１１】本実施形態に係る情報提供システムの動作を示す第３のフローチャートである。
【図１２】本実施形態に係る情報提供システムの動作を示す第４のフローチャートである。
【符号の説明】
【００８６】
１０  遊技台
１１  条件成立判断部
１２  表示画像生成部
１３  記憶部
１４  画像表示部
１５  上部ボックス
１６  下部ボックス
１７  二次元コード
２０  ホストコンピュータ
２１  通信部
２２  処理部
２２ａ  認証部
２２ｂ  解析部
２３  情報記憶部
３０  端末
３１  撮影部
３２  認識部
３３  通信部
３４  画像表示部
４０  インターネット
Ｍ１  入会メニュー
Ｍ２  説明メニュー
【図１】
2008178476.tif 000003
【図２】
2008178476.tif 000004
【図３】
2008178476.tif 000005
【図４】
2008178476.tif 000006
【図５】
2008178476.tif 000007
【図６】
2008178476.tif 000008
【図７】
2008178476.tif 000009
【図８】
2008178476.tif 000010
【図９】
2008178476.tif 000011
【図１０】
2008178476.tif 000012
【図１１】
2008178476.tif 000013
【図１２】
2008178476.tif 000014
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
遊技結果に応じて遊技媒体が払い出される遊技台と、会員制Ｗｅｂサイトを管理するホストコンピュータと、前記会員制Ｗｅｂサイトにアクセス可能な端末と、を備え、前記ホストコンピュータから前記会員制Ｗｅｂサイトにアクセスした前記端末に情報を提供する情報提供システムであって、
前記遊技台は、
遊技中に、現在の遊技台の状態に応じた遊技台情報の提供契機であるかを判断する判断手段と、
前記判断手段により提供契機であると判断されたときに、前記会員制ｗｅｂサイトにアクセスするアクセス情報、及び、前記遊技台情報の送信を前記ホストコンピュータに要求する要求情報を遊技者に提示する提示手段と、を有し、
前記端末は、
前記提示手段により提示されたアクセス情報及び要求情報を取り込む取込手段と、
前記取込手段によってアクセス情報が取り込まれることによって前記会員制ｗｅｂサイトにアクセスすると共に、前記取込手段によって要求情報が取り込まれることによって前記ホストコンピュータに要求情報を送信する通信手段と、を有し、
前記ホストコンピュータは、前記通信手段を介して前記会員制ｗｅｂサイトにアクセスした端末が、前記会員制ｗｅｂサイトの会員のものである場合、前記通信手段からの要求情報によって要求される前記遊技台情報を前記端末に送信する送信手段を有し、
前記遊技台は、
前記判断手段が、前記遊技台に対して所定の操作をすることにより、所定の操作をしないときには発生することがない遊技台の演出を発生させることが可能となったときに、提供契機であると判断し、
前記判断手段により前記演出を発生させることが可能となったと判断された場合に、前記演出を発生させるための所定の操作を選択し、
前記提示手段が、選択された所定の操作の情報を、現在の遊技台の状態に応じた前記遊技台情報とし、要求情報を提示する
ことを特徴とする情報提供システム。
【請求項２】
前記送信手段は、前記通信手段を介して前記会員制ｗｅｂサイトにアクセスした端末が、会員制ｗｅｂサイトの非会員のものである場合、前記会員制ｗｅｂサイトへの入会を促す画像情報を前記端末に送信し、
前記端末は、前記画像情報に基づく画像を表示することで、遊技中の遊技者に対して前記会員制ｗｅｂサイトへの入会を促す
ことを特徴とする請求項１に記載の情報提供システム。
【請求項３】
前記画像情報には、前記会員制ｗｅｂサイトへの入会により得られる情報を説明する説明メニューの情報が含まれている
ことを特徴とする請求項２に記載の情報提供システム。
【請求項４】
前記遊技台は、通常状態と通常状態よりも多くの遊技媒体の払い出しが発生する特別状態とを有し、
前記判断手段は、通常状態から特別状態に移行したときに又は特別状態が継続しているときに、提供契機であると判断し、
前記提示手段は、現在遊技台が特別状態であることの情報を、現在の遊技台の状態に応じた前記遊技台情報とし、要求情報を提示する
ことを特徴とする請求項１から請求項３のいずれか１項に記載の情報提供システム。
【請求項５】
前記判断手段は、特定の遊技方法により遊技媒体の払い出しが増加するときに、提供契機であると判断し、
前記提示手段は、その遊技方法の情報を、現在の遊技台の状態に応じた前記遊技台情報とし、要求情報を提示する
ことを特徴とする請求項１から請求項３のいずれか１項に記載の情報提供システム。
【請求項６】
前記遊技台は、回動式遊技機であって、
前記判断手段は、リプレイのシンボルの揃う確率が通常状態よりも高くなるリプレイタイムに突入したときに、提供契機であると判断し、
前記提示手段は、リプレイタイムから通常状態への移行条件を満たさない遊技方法の情報を、現在の遊技台の状態に応じた前記遊技台情報とし、要求情報を提示する
ことを特徴とする請求項５に記載の情報提供システム。
【請求項７】
前記遊技台は、回動式遊技機であって、
前記判断手段は、リールを停止させる複数のリール停止ボタンを特定の押し順で押すことで特定のシンボルが揃うときに、提供契機であると判断し、
前記提示手段は、特定の押し順の情報を、現在の遊技台の状態に応じた前記遊技台情報とし、要求情報を提示する
ことを特徴とする請求項５又は請求項６のいずれか１項に記載の情報提供システム。
【請求項８】
前記提示手段は、アクセス情報及び要求情報を二次元コードとして提示し、
前記取込手段は、前記二次元コードを撮影することによりアクセス情報及び要求情報を取り込む
ことを特徴とする請求項１から請求項７のいずれか１項に記載の情報提供システム。
【請求項９】
遊技結果に応じて遊技媒体が払い出される遊技台であって、
前記遊技台は、
遊技中に、現在の遊技台の状態に応じた遊技台情報の提供契機であるかを判断する判断手段と、
前記判断手段により提供契機であると判断されたときに、遊技者が端末に取り込むことにより、ホストコンピュータが管理すると共に会員に前記遊技台情報を提供する会員制ｗｅｂサイトに前記端末がアクセスすることができるアクセス情報、及び、前記遊技台情報の送信を前記ホストコンピュータに要求する要求情報を遊技者に提示する提示手段と、を備え、
前記判断手段が、前記遊技台に対して所定の操作をすることにより、所定の操作をしないときには発生することがない遊技台の演出を発生させることが可能となったときに、提供契機であると判断し、
前記判断手段により前記演出を発生させることが可能となったと判断された場合に、前記演出を発生させるための所定の操作を選択し、
前記提示手段が、選択された所定の操作の情報を、現在の遊技台の状態に応じた前記遊技台情報とし、要求情報を提示する
ことを特徴とする遊技台。
【手続補正２】
【補正対象書類名】明細書
【補正対象項目名】０００５
【補正方法】変更
【補正の内容】
【０００５】
上記目的を達成するため、本発明に係る情報提供システムは、遊技結果に応じて遊技媒体が払い出される遊技台と、会員制Ｗｅｂサイトを管理するホストコンピュータと、会員制Ｗｅｂサイトにアクセス可能な端末と、を備え、ホストコンピュータから会員制Ｗｅｂサイトにアクセスした端末に情報を提供するものである。この情報提供システムにおいて、遊技台は、遊技中に、現在の遊技台の状態に応じた遊技台情報の提供契機であるかを判断する判断手段と、判断手段により提供契機であると判断されたときに、会員制ｗｅｂサイトにアクセスするアクセス情報、及び、遊技台情報の送信をホストコンピュータに要求する要求情報を遊技者に提示する提示手段と、を有している。端末は、提示手段により提示されたアクセス情報及び要求情報を取り込む取込手段と、取込手段によってアクセス情報が取り込まれることによって会員制ｗｅｂサイトにアクセスすると共に、取込手段によって要求情報が取り込まれることによってホストコンピュータに要求情報を送信する通信手段と、を有している。ホストコンピュータは、通信手段を介して会員制ｗｅｂサイトにアクセスした端末が、会員制ｗｅｂサイトの会員のものである場合、通信手段からの要求情報によって要求される遊技台情報を端末に送信する送信手段を有している。さらに、遊技台は、判断手段が、遊技台に対して所定の操作をすることにより、所定の操作をしないときには発生することがない遊技台の演出を発生させることが可能となったときに、提供契機であると判断し、判断手段により演出を発生させることが可能となったと判断された場合に、演出を発生させるための所定の操作を選択し、提示手段が、選択された所定の操作の情報を、現在の遊技台の状態に応じた遊技台情報とし、要求情報を提示する。
【手続補正３】
【補正対象書類名】明細書
【補正対象項目名】０００６
【補正方法】変更
【補正の内容】
【０００６】
また、情報提供システムにおいて、送信手段は、通信手段を介して会員制ｗｅｂサイトにアクセスした端末が、会員制ｗｅｂサイトの非会員のものである場合、会員制ｗｅｂサイトへの入会を促す画像情報を端末に送信し、端末は、画像情報に基づく画像を表示することで、遊技中の遊技者に対して会員制ｗｅｂサイトへの入会を促すことが好ましい。
【手続補正４】
【補正対象書類名】明細書
【補正対象項目名】０００７
【補正方法】変更
【補正の内容】
【０００７】
また、情報提供システムにおいて、画像情報には、会員制ｗｅｂサイトへの入会により得られる情報を説明する説明メニューの情報が含まれていることが好ましい。
【手続補正５】
【補正対象書類名】明細書
【補正対象項目名】０００８
【補正方法】変更
【補正の内容】
【０００８】
また、情報提供システムにおいて、遊技台は、通常状態と通常状態よりも多くの遊技媒体の払い出しが発生する特別状態とを有し、判断手段は、通常状態から特別状態に移行したときに又は特別状態が継続しているときに、提供契機であると判断し、提示手段は、現在遊技台が特別状態であることの情報を、現在の遊技台の状態に応じた遊技台情報とし、要求情報を提示することが好ましい。
【手続補正６】
【補正対象書類名】明細書
【補正対象項目名】０００９
【補正方法】変更
【補正の内容】
【０００９】
また、情報提供システムにおいて、判断手段は、特定の遊技方法により遊技媒体の払い出しが増加するときに、提供契機であると判断し、提示手段は、その遊技方法の情報を、現在の遊技台の状態に応じた遊技台情報とし、要求情報を提示することが好ましい。
【手続補正７】
【補正対象書類名】明細書
【補正対象項目名】００１０
【補正方法】変更
【補正の内容】
【００１０】
また、情報提供システムにおいて、遊技台は、回動式遊技機であって、判断手段は、リプレイのシンボルの揃う確率が通常状態よりも高くなるリプレイタイムに突入したときに、提供契機であると判断し、提示手段は、リプレイタイムから通常状態への移行条件を満たさない遊技方法の情報を、現在の遊技台の状態に応じた遊技台情報とし、要求情報を提示することが好ましい。
【手続補正８】
【補正対象書類名】明細書
【補正対象項目名】００１１
【補正方法】変更
【補正の内容】
【００１１】
また、情報提供システムにおいて、遊技台は、回動式遊技機であって、判断手段は、リールを停止させる複数のリール停止ボタンを特定の押し順で押すことで特定のシンボルが揃うときに、提供契機であると判断し、提示手段は、特定の押し順の情報を、現在の遊技台の状態に応じた遊技台情報とし、要求情報を提示することが好ましい。
【手続補正９】
【補正対象書類名】明細書
【補正対象項目名】００１３
【補正方法】変更
【補正の内容】
【００１３】
また、上記目的を達成するため、本発明に係る遊技台は、遊技結果に応じて遊技媒体が払い出されるものである。遊技台は、遊技中に、現在の遊技台の状態に応じた遊技台情報の提供契機であるかを判断する判断手段と、判断手段により提供契機であると判断されたときに、遊技者が端末に取り込むことにより、ホストコンピュータが管理すると共に遊技台情報を提供する会員制ｗｅｂサイトに端末がアクセスすることができるアクセス情報、及び、遊技台情報の送信をホストコンピュータに要求する要求情報を遊技者に提示する提示手段とを備えている。さらに、判断手段が、遊技台に対して所定の操作をすることにより、所定の操作をしないときには発生することがない遊技台の演出を発生させることが可能となったときに、提供契機であると判断し、判断手段により演出を発生させることが可能となったと判断された場合に、演出を発生させるための所定の操作を選択し、提示手段が、選択された所定の操作の情報を、現在の遊技台の状態に応じた遊技台情報とし、要求情報を提示する。
【手続補正１０】
【補正対象書類名】明細書
【補正対象項目名】００１４
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００３１
【補正方法】変更
【補正の内容】
【００３１】
なお、条件成立判断部１１は、遊技開始から所定時間経過したとき、又は前回所定時間経過してから、さらに所定時間経過したときに、現在遊技台１０が通常状態であることや特別状態であることの情報（遊技台情報の１つ）の提供契機であると判断してもよい。
【手続補正１３】
【補正対象書類名】明細書
【補正対象項目名】００４０
【補正方法】変更
【補正の内容】
【００４０】
認証部２２ａは、会員制ｗｅｂサイトにアクセスした端末３０が会員のものであるか否かを判断するものである。解析部２２ｂは、端末３０からの要求情報を解析し、要求情報によって要求される遊技台情報を特定するものである。